(57)【要約】【課題】発光部と蛍光部とを備えており発光部の光によって蛍光部の一部が発光する発光具において、従来よりも装飾性が高いものを提供することを目的とする。【解決手段】紫外線もしくは可視光を発する少なくとも１つの発光体７を備えて構成された発光部３と、発光部３に対して相対的に移動し、発光部３が出射した紫外線もしくは可視光を受けて発光する蛍光部５とを有する発光具１である。【選択図】図３
2016206538.tif 000002
【特許請求の範囲】
【請求項１】
紫外線もしくは可視光を発する少なくとも１つの発光体を備えて構成された発光部と、
前記発光部に対して相対的に移動し、前記発光部が出射した紫外線もしくは可視光を受けて発光する蛍光部と、
を有することを特徴とする発光具。
【請求項２】
請求項１に記載の発光具において、
前記発光部は、時刻の経過に伴って紫外線もしくは可視光を発する箇所が変化するように構成されていることを特徴とする発光具。
【請求項３】
請求項１または請求項２に記載の発光具において、
前記蛍光部は、カップ状に形成されており、
前記発光部が前記蛍光部の内側に設けられていることを特徴とする発光具。
【請求項４】
請求項３に記載の発光具において、
前記蛍光部は、回転体状に形成されており、
前記蛍光部の移動は、前記蛍光部の中心軸を中心にした回転運動であることを特徴とする発光具。
【請求項５】
請求項１または請求項２に記載の発光具において、
前記蛍光部から起立している支柱部を有し、
前記発光部は、発光部支持材を介して前記支柱部に吊り下げられている発光体を備えており、前記発光体が、前記蛍光部の上で搖動するとともに、前記蛍光部に紫外線もしくは可視光を照射するように構成されていることを特徴とする発光具。
【発明の詳細な説明】
【技術分野】
【０００１】
本発明は、発光具に係り、特に、発光部と蛍光部とを備えており、発光部の光によって蛍光部の一部が発光するものに関する。
【背景技術】
【０００２】
従来、光源とスクリーンとの間に、一部に透過部が設けられている遮光材を設けた発光具が知られている。この従来の発光具では、遮光材の透過部を光源の光が透過することで、遮光材の透過部の形態に応じた絵柄がスクリーンに投影され、装飾性が演出されるようになっている。なお、従来の技術に関する文献として特許文献１を掲げることができる。
【先行技術文献】
【特許文献】
【０００３】
【特許文献１】特開２００８−２２８７６１号公報
【発明の概要】
【発明が解決しようとする課題】
【０００４】
ところで、従来の発光具では、スクリーンに投影される絵柄が単純であり、装飾性が劣るという問題がある。
【０００５】
なお、従来の発光具において、発光体を複数設け、点灯するものを時刻の経過に応じて変えることで、スクリーンに投影される絵柄を移動させたとしても、やはり変化にとぼしく、装飾性に劣る。
【０００６】
本発明は、上記問題点に鑑みてなされたものであり、発光部と蛍光部とを備えており発光部の光によって蛍光部の一部が発光する発光具において、従来よりも装飾性が高いものを提供することを目的とする。
【課題を解決するための手段】
【０００７】
請求項１に記載の発明は、紫外線もしくは可視光を発する少なくとも１つの発光体を備えて構成された発光部と、前記発光部に対して相対的に移動し、前記発光部が出射した紫外線もしくは可視光を受けて発光する蛍光部とを有する発光具である。
【０００８】
請求項２に記載の発明は、請求項１に記載の発光具において、前記発光部は、時刻の経過に伴って紫外線もしくは可視光を発する箇所が変化するように構成されている発光具である。
【０００９】
請求項３に記載の発明は、請求項１または請求項２に記載の発光具において、前記蛍光部は、カップ状に形成されており、前記発光部が前記蛍光部の内側に設けられている発光具である。
【００１０】
請求項４に記載の発明は、請求項３に記載の発光具において、前記蛍光部は、回転体状に形成されており、前記蛍光部の移動は、前記蛍光部の中心軸を中心にした回転運動である発光具である。
【００１１】
請求項５に記載の発明は、請求項１または請求項２に記載の発光具において、前記蛍光部から起立している支柱部を有し、前記発光部は、発光部支持材を介して前記支柱部に吊り下げられている発光体を備えており、前記発光体が、前記蛍光部の上で搖動するとともに、前記蛍光部に紫外線もしくは可視光を照射するように構成されている発光具である。
【発明の効果】
【００１２】
本発明によれば、発光部と蛍光部とを備えており発光部の光によって蛍光部の一部が発光する発光具において、従来よりも装飾性が高いものを提供することができるという効果を奏する。
【図面の簡単な説明】
【００１３】
【図１】本発明の実施形態に係る発光具の概略構成を示す斜視図である。
【図２】本発明の実施形態に係る発光具の動作を示す斜視図である。
【図３】本発明の実施形態に係る発光具の概略構成を示す断面図である。
【図４】１つ目の変形例に係る発光具の概略構成を示す断面図である。
【図５】２つ目の変形例に係る発光具の概略構成を示す断面図である。
【図６】３つ目の変形例に係る発光具の概略構成を示す断面図である。
【図７】４つ目の変形例に係る発光具の概略構成を示す断面図である。
【図８】５つ目の変形例に係る発光具の概略構成を示す断面図である。
【図９】６つ目の変形例に係る発光具の概略構成を示す断面図である。
【図１０】７つ目の変形例に係る発光具の概略構成を示す断面図である。
【発明を実施するための形態】
【００１４】
本発明の実施形態に係る発光具（発光装飾具）１は、図１〜図３で示すように、発光部（一群の発光体）３と蛍光部５とを備えて構成されている。
【００１５】
発光部３は、可視光を発する（出射する）少なくとも１つの発光体（たとえばＬＥＤ）７を備えて構成されている。なお、ＬＥＤ７が可視光を発することに代えてもしくは加えて紫外線を発するようになっていてもよいが、以下説明の便宜のために可視光を発するものとして説明する。
【００１６】
なお、ＬＥＤ７として、たとえば、ビーム角が狭角（たとえば、１０°〜２０°）のものが採用されている。
【００１７】
蛍光部５は、蛍光材料を含んで構成されており、発光部３（ＬＥＤ７）が出射した可視光を受けて発光する（可視光を出射する）ようになっている。また、蛍光部５は、発光部３に対して相対的に移動するようになっている。
【００１８】
すなわち、図１〜図３、図５、図６、図８、図１０で示す発光具１では、詳細は後述するが、ベース体９に発光部３が固定されており、ベース体９に対して蛍光部５が移動するようになっている。これに対して、図４、図７で示す発光具１では、ベース体９に蛍光部５が固定されており、ベース体９に対して発光部３が移動するようになっている。また、図９で示す発光具１では、ベース体９に対して発光部３が移動自在になっておりベース体９に対して蛍光部５が発光部３とは異なる態様で移動するようになっている。
【００１９】
蛍光部５は、ＬＥＤ７が発した可視光が照射された部位のみが発光するようになっているとともに、可視光の照射が停止された後も所定の僅かな時間発光を持続するようになっている。これにより、図１や図２で示す発光部位１１が蛍光部５に形成されるようになっている。
【００２０】
なお、ＬＥＤ７が発した可視光が、所定の強度以上の強度（たとえば、ＬＥＤ７と蛍光部５との距離が所定の値であってＬＥＤ７のビーム角内の強度）で所定の僅かな時間以上の時間照射される部位（蛍光部５の部位）１１が、肉眼で見て可視光を発するようになっている。
【００２１】
ＬＥＤ７は、蛍光部５から僅かに離れ蛍光部５に対向しており、蛍光部５に向かって可視光を発し蛍光部５の一部を点状に照射するようになっている。さらに説明すると、ＬＥＤ７の光軸（ビーム角の中心線）と蛍光部５の表面とがお互いに交差する点を光軸蛍光部交差点とすると、ＬＥＤ７の光軸は、光軸蛍光部交差点における蛍光部５の表面の微小部位の法線と一致しているかもしくはこの法線に対して僅かな交差角度（たとえば、２０°以下の交差角度）で交差している。
【００２２】
また、発光部３は、時刻の経過に伴って可視光を発する箇所が変化するように構成されている。
【００２３】
たとえば、図３で示すように、発光部３が、複数のＬＥＤ７（７Ａ〜７Ｇ）を備えて構成されており、発光部３のＬＥＤ７（７Ａ〜７Ｇ）のそれぞれが独自に（お互いが異なる態様で）点灯しまた消灯する（点滅する）ようになっている。そして、各ＬＥＤ７（７Ａ〜７Ｇ）のそれぞれが、順に点灯し消灯することで、発光部３の発光箇所が時刻経過とともに変化するように構成されている。
【００２４】
さらに説明すると、発光部３の各ＬＥＤ７（７Ａ〜７Ｇ）は、上述したように、それぞれが点滅するようになっている。すなわち、発光部３の各ＬＥＤ７（７Ａ〜７Ｇ）のそれぞれは、点灯と消灯とを繰り返すようになっている。点灯時間よりも消灯時間のほうが長くなっている。また、各ＬＥＤ７（７Ａ〜７Ｇ）は、所定の間隔をあけて線状（たとえば直線状）にならんでおり、このならんでいる方向は、蛍光部５の移動方向（たとえば回転方向）と交差している（たとえば直交している）。
【００２５】
そして、発光部３の総てのＬＥＤ（７個のＬＥＤ）７（７Ａ〜７Ｇ）が消灯している状態から、一端に設けられている１つ目のＬＥＤ７Ａが点灯し消灯し、続いて、１つ目のＬＥＤ７Ａの隣りの１つのＬＥＤである２つ目のＬＥＤ７Ｂが点灯して消灯し、続いて、２つ目のＬＥＤ７Ｂの隣りの１つのＬＥＤ（１つ目のＬＥＤ７Ａとは反対側のＬＥＤ）である３つ目のＬＥＤ７Ｃが点灯して消灯し、続いて、・・・他端に設けられている７個目のＬＥＤ７Ｇが点灯し消灯し、続いて、一端に設けられている１つ目のＬＥＤ７Ａが点灯し消灯する動作を繰り返すようになっている。つまり、直線に沿って各ＬＥＤ７が順に点灯し消灯する動作を複数回にわたって行うようになっている。
【００２６】
なお、発光部３では、２つ以上の複数のＬＥＤ７が同時に点灯することはないが、複数のＬＥＤ７が同時に点灯する場合があるように構成されていてもよい。たとえば、１つ目のＬＥＤ７Ａが点灯している状態で２つ目のＬＥＤ７Ｂが点灯し始め２つ目のＬＥＤ７Ｂが点灯している状態で１つ目のＬＥＤ７Ａが消灯するように構成されていてもよい。また、各ＬＥＤ７のそれぞれが、直線に沿って順に点滅するのではなく、ランダムに点滅するように構成されていてもよい。
【００２７】
また、各ＬＥＤ７（７Ａ〜７Ｇ）が、所定の間隔をあけてならんでおり、しかも、ＬＥＤ７のビーム角が狭角になっていることで、お互いが隣接しているＬＥＤ７（たとえば、ＬＥＤ７ＡとＬＥＤ７Ｂ）が同時に発光しても、発光する蛍光部５の各部位１１（１１Ａ〜１１Ｇ；図１参照）が、お互いが重なることはない。なお、各ＬＥＤ７（７Ａ〜７Ｇ）の間隔を小さくしたり、ＬＥＤ７のビーム角を広げることで、発光する蛍光部５の各部位１１（１１Ａ〜１１Ｇ）が一部でお互いに重なるようになっていてもよい。
【００２８】
ところで、蛍光部５は、カップ状に形成されている。発光部３は、蛍光部５の内側に設けられており、発光部３が発した可視光が蛍光部５の外部に漏れ出ないように構成されている。
【００２９】
ここで、カップ状とは、殻状の立体を所定の１箇所（たとえば所定の１つの平面）で２つに分割したときに得られる２つの立体のうちの１つの立体（たとえば大きいほうの立体）の形状である。
【００３０】
殻状の立体とは、所定形状の立体（たとえば貫通孔が形成されていない所定形状の中実立体）の全表面を、たとえば一定の厚さの膜で覆ったときの上記膜で形成される形状の立体である。この膜の形状（殻状の立体）は、上記所定形状の立体を含まないことで内部に上記所定形状の立体と同形状の空間が形成されている。なお、上記膜の厚さが一定ではなく部位によって適宜変化していてもよい。
【００３１】
カップ状（カップ状の立体）では、膜の厚さ方向の一方の面（カップ状の立体の外面）が全体として凸状になっており、膜の厚さ方向の他方の面（カップ状の立体の内面）が全体として凹状になっている。
【００３２】
発光部３のＬＥＤ７は、上述したように蛍光部５から離れており、蛍光部５の内面の部位を照射するようになっている。発光部３のＬＥＤ７によって可視光が照射された蛍光部５は、内面の部位が発光するが、この発光した光が外面にも到達し、外面に発光部位１１が形成されるようになっている（図１参照）。なお、蛍光部５が発した可視光を蛍光部５がある程度透過するようになっていることで、発光部３のＬＥＤ７によって可視光が照射された蛍光部５で、内面の部位だけでなく、肉部内や外面の部位も発光するようになっていてもよい。
【００３３】
また、図１〜図３で示す発光具１では、蛍光部５が回転体状に形成されており、蛍光部５が移動するようになっている。蛍光部５の移動は、蛍光部５の中心軸Ｃ１を中心にした回転運動になっている。
【００３４】
発光部３のＬＥＤ７は、上述したように、蛍光部５の内面に向かって光を発する態様で設けられている。
【００３５】
回転体とは、１つの平面上に１本の直線で構成された中心軸Ｃ１を描き、所定の１本の線を、中心軸Ｃ１まわりで３６０°回転したときに、上記所定の１本の線の軌跡で表される立体である。なお、カップ状の蛍光部５は、実際には肉厚があるので、上記所定の１本の線は、若干の幅を備えているものとして考える。
【００３６】
上記所定の１本の線は、延伸方向の一端が中心軸Ｃ１上に存在しており、中心軸Ｃ１を境界にした上記１つの平面の一方の側で中心軸Ｃ１から離れる側に延伸している。上記所定の１本の線の延伸方向の他端は、中心軸Ｃ１から離れている。
【００３７】
カップ状の回転体においては、上記所定の１本の線は、直線、曲線の少なくともいずれかで形成されている。ただし、上記所定の１本の線が、中心軸Ｃ１に対して直交する線分のみで構成されている場合には、蛍光部５は円板状になってしまいカップ状にはならない。
【００３８】
また、上記所定の１本の線は、これ自身が交わっていることはない。さらに、上記所定の１本の線が、中心軸Ｃ１に対して直交する線分のみで構成されている場合を除き、中心軸Ｃ１の延伸方向では、上記所定の１本の線の延伸方向の一端の位置と他端の位置とは、お互いが異なっている。
【００３９】
例を掲げて具体的に説明する。カップ状で回転体状の蛍光部５が、円錐の側面状であるとすると、上記所定の１本の線は、１本の線分（所定長さの直線）になる。上記１本の線は、延伸方向の一端が中心軸Ｃ１上に位置しており、中心軸Ｃ１と鋭角の交差角度（９０°以外の交差角度）で交差する態様で、中心軸Ｃ１から離れる方向に延伸している。カップ状で回転体状の蛍光部５の開口部は、円錐の底面の部位に形成されている。また、上記所定の１本の線分は、蛍光部５の母線になる。
【００４０】
ここで、図１〜図３で示す発光具１についてさらに詳しく説明する。
【００４１】
発光具１は、ベース体９を備えている。ベース体９は、筒状部１５と底板部１７と上板部１９とを備えて構成されている。筒状部１５は、円筒状に形成されているが、角筒等の他の筒状に形成されていてもよい。底板部１７は、平板状（たとえば円板状）に形成されており、筒状部１５の一方の開口部を塞いでいる。上板部１９も、平板状（たとえば円板状）に形成されており、筒状部１５の一方の開口部を塞いでいる。ただし、上板部１９の中央部には円形状の貫通孔２１が形成されている。
【００４２】
発光部３は、複数のＬＥＤ７（７Ａ〜７Ｇ）と発光体支持部２３とを備えて構成されている。発光体支持部２３は、円錐状の上側部位２５と円柱状の下側部位２７とを備えて構成されている。上側部位２５の中心軸Ｃ１と下側部位２７の中心軸Ｃ１とはお互いが一致しており、上側部位２５の底面の直径と下側部位２７の直径とはお互いが等しくなっている。
【００４３】
上側部位２５や下側部位２７の中心軸Ｃ１と、ベース体９の中心軸Ｃ１とはお互いが一致しており、ベース体９の上板部１９の貫通孔２１の直径は、下側部位２７の直径よりも大きくなっている。
【００４４】
また、発光体支持部２３は、下側部位２７の下面がベース体９の底板部１７に接するようにして、ベース体９に一体的に設置されている。下側部位２７の上端部と上側部位２５とが、筒状部１５の上板部１９の貫通孔２１から上方に突出している。
【００４５】
各ＬＥＤ７（７Ａ〜７Ｇ）は、上側部位２５の所定の１本の母線に沿い所定の間隔をあけてならび、円錐状の上側部位２５の側面に一体的に設けられている。
【００４６】
発光体支持部２３（たとえば下側部位２７）の内部には、電源（電池；図示せず）と制御部（図示せず）とが設けられている。これにより、発光部３の各ＬＥＤ７が所定の発光パターンで発光するようになっている。
【００４７】
なお、発光体支持部２３が別の形状になっていてもよい。たとえば、各ＬＥＤ７を支持する機能だけに着目し、発光体支持部２３の上側部位２５を、図３に破線Ｌ１で示すように、直線的な棒状に形成してもよい。同様にして、図４、図５、図６で示す発光具１も、発光体支持部２３の上側部位２５を、破線Ｌ１で示すように、直線もしくは円弧状等の曲線で棒状に形成してもよい。ただし、蛍光部５が半透明に形成されている等して、発光体支持部２３が発光具１の外部から透けて見える場合には、上側部位２５が円錐状になっていることが望ましい。
【００４８】
蛍光部５は、円錐側面状に形成されている。蛍光部５の肉部の厚さは、一定になっているが、円錐側面の母線の延伸方向で、肉部の厚さが適宜変化していてもよい。蛍光部５の円錐の頂角と、発光体支持部２３の上側部位２５の円錐の頂角とはお互いが一致している。
【００４９】
蛍光部５の下側には、円板状に形成され中央部に円形状の貫通孔２９が形成されているリング状部位３１と、円筒状に形成された円筒状部位３３とが一体で設けられている。蛍光部５の中心軸Ｃ１とリング状部位３１の中心軸Ｃ１と円筒状部位３３の中心軸Ｃ１とはお互いが一致しており、リング状部位３１は、円錐状の蛍光部５の底面を塞ぐ態様で設けられており、円筒状部位３３は、リング状部位３１の貫通孔２９のところから下方に突出している。
【００５０】
円錐状の蛍光部５の底面の直径（リング状部位３１の外径）は、ベース体９の上板部１９の貫通孔２１の直径よりも大きくなっており、円筒状部位３３の外径は、ベース体９の上板部１９の貫通孔２１の直径よりもごく僅かに小さくなっている。
【００５１】
そして、リング状部位３１が上板部１９の上面に接し、円筒状部位３３が貫通孔２１を通ってベース体９内に入り込んでいる態様で、蛍光部５とリング状部位３１と円筒状部位３３とが、ベース体９に設置されている。この状態では、蛍光部５の中心軸Ｃ１とベース体９の中心軸Ｃ１と発光体支持部２３の中心軸Ｃ１とがお互いに一致しており、蛍光部５とリング状部位３１と円筒状部位３３とがベース体９に対して、中心軸Ｃ１を中心に回転自在になっている。
【００５２】
また、上側部位２５や下側部位２７の外径は、円筒状部位３３の外径よりも小さくなっている。上側部位２５と蛍光部５との間には、空間３５が形成されている。
【００５３】
また、ベース体９内には、上記電源により上記制御部の制御の下で駆動するモータ３７等のアクチュエータが設けられている。
【００５４】
モータ３７の筐体３９は、ベース体９に固定されており、モータ３７の回転出力軸４１には、歯車４３が一体的に設けられており、円筒状部位３３の外周には、歯車４５が一体的に設けられている。歯車４５と歯車４３とはお互いが噛み合っている。
【００５５】
そして、モータ３７の回転出力軸４１が回転することで、蛍光部５とリング状部位３１と円筒状部位３３とが、ベース体９に対して、回転するようになっている。
【００５６】
次に、発光具１の動作について説明する。
【００５７】
ＬＥＤ７（７Ａ〜７Ｇ）が総て消灯しており、蛍光部５とリング状部位３１と円筒状部位３３との回転が停止している状態から、所定のパターンで（たとえば、７Ａ〜７Ｇに向かって順に）ＬＥＤ７（７Ａ〜７Ｇ）のそれぞれが順に点灯し消灯するとともに、蛍光部５とリング状部位３１と円筒状部位３３とが回転する。
【００５８】
これにより、図１で示すように、蛍光部５に、リング状の発光部位１１Ａ〜１１Ｇが順に形成される。なお、図１では、発光部位１１Ａ〜１１Ｇが総て描かれているが、ＬＥＤ７（７Ａ〜７Ｇ）のそれぞれが順に点灯し消灯することで、総ての発光部位１１Ａ〜１１Ｇが同時に現れることはなく、発光部位１１Ａ〜発光部位１１Ｇが、順次現れる。たとえば、最初に、リング状の発光部位１１Ａが現れて消滅した後、次のリング状の発光部位１１Ｂが現れて消滅し、・・・、次のリング状の発光部位１１Ｇが現れて消滅し、次にリング状の発光部位１１Ａが再び現れて消滅し・・・という動作を繰り返す。
【００５９】
なお、リング状の発光部位１１Ａ（１１Ｂ〜１１Ｇも同様）は、蛍光部５とリング状部位３１と円筒状部位３３との回転し始めたときいきなり現れることはなく、リング状の発光部位１１Ａ等）は、蛍光部５とリング状部位３１と円筒状部位３３とが、矢印Ａ１の方向に回転し始めたとき図２で示すようになる。
【００６０】
リング状の発光部位１１Ａが形成されるためには、ＬＥＤ７Ａが点灯している状態で蛍光部５とリング状部位３１と円筒状部位３３とが少なくとも３６０°回転する必要がある。
【００６１】
発光具１によれば、蛍光部５が、発光部３が出射した可視光を受けて発光し発光部３に対して相対的に移動するように構成されているので、従来よりも装飾性が高くなる。
【００６２】
すなわち、発光部３が発した可視光が照射された蛍光部５の部位１１が発光するが、この蛍光部５の発光は、発光部３による可視光の照射が止んでも一定の時間継続する。この継続をしているときに、蛍光部５が発光部３に対して移動するので、蛍光部５には、この移動に伴って長く延びた発光部位１１が形成され、発光具１を見ている者が退屈さを感じにくくなる。
【００６３】
また、発光具１によれば、時刻の経過に伴って可視光を発する発光部３の箇所が変化するように構成されているので、蛍光部５の発光部位１１の位置が時刻の経過とともに変化し、装飾性が一層高まる。
【００６４】
また、発光具１によれば、蛍光部５がカップ状に形成されており、発光部３が蛍光部５の内側に設けられているので、発光部３が発した可視光が蛍光部５の外部に漏れ出ないようになっており、シンプルな形状で装飾性を高めることができる。
【００６５】
また、発光具１によれば、蛍光部５が回転体状に形成されており、蛍光部５が発光部３の中心軸Ｃ１を中心にした回転運動をするようになっているので、蛍光部５の発光部位１１がリング状に形成され、発光部３の発光箇所が変化すると、蛍光部５の、リング状に形成される発光部位１１が円錐側面の母線の延伸方向で移動するので、装飾性が一層高まる。
【００６６】
ところで、発光具１を図４〜図１０で示すように構成してもよい。
【００６７】
図４で示す発光具１は、蛍光部５とリング状部位３１と円筒状部位３３とが、ベース体９に一体的に設けられており、ＬＥＤ７（７Ａ〜７Ｇ）等が、モータ３７によって回転するようになっている。
【００６８】
図５で示す発光具１は、蛍光部５が、円筒の一方（上方）の開口部を円板で塞いだ形状に形成されている。発光体支持部２３が円柱状に形成されており、複数のＬＥＤ７（７Ａ〜７Ｊ）が、蛍光部５の側面および上面に沿って「Ｌ」字状にならんで配置されている。なお、図５で示す発光具１は、蛍光部５がモータ３７によって回転するようになっているが、発光部３が回転するように構成されていてもよい。
【００６９】
図６で示す発光具１は、蛍光部５が、球冠殻状の立体で形成されている。球冠殻状の立体とは球殻状の立体を、所定の１つの平面で分割したときに得られる２つの立体のうちの１つの立体（たとえば、大きいほうの立体）である。
【００７０】
球殻状の立体とは、第１の球から第２の球を除くことで形成される立体である。第２の球の直径は、第１の球の半径よりも僅かに小さく、第２の球は第１の球の内側に位置し、第１の球の中心と第２の球の中心とはお互いが一致している。
【００７１】
また、発光体支持部２３が、球冠状に形成されており、発光体支持部２３の表面と蛍光部５の内面との間の間隔は一定になっており、複数のＬＥＤ７（７Ａ〜７Ｆ）が、蛍光部５の側面および上面に沿って円弧状に配置してある。なお、図６で示す発光具１は、蛍光部５がモータ３７によって回転するようになっているが、発光部３が回転するように構成されていてもよい。
【００７２】
図７で示す発光具１は、円錐状の蛍光部５が、円錐側面状の発光体支持部２３の内部に形成されている。発光体支持部２３の内面には、発光部３を構成する複数のＬＥＤ７（７Ａ〜７Ｇ）が設けられている。発光体支持部２３は透明もしくは半透明な材料で形成されている。また、発光体支持部２３がモータ３７によって回転するようになっている。なお、発光体支持部２３が、図１等に破線Ｌ１で示したように、棒状等の形状に形成されており、蛍光部５が露出していてもよい。
【００７３】
図８で示す発光具１は、図７で示す発光具１と同様に形成されているが、蛍光部５がモータ３７によって回転するようになっている点が異なっている。
【００７４】
図９で示す発光具１は、図８で示す発光具１と同様に形成されているが、発光部３を構成するＬＥＤ７がたとえば点滅しつつ移動することで、発光部３の発光箇所が変化するようになっている。なお、図９で示す発光具１で、発光体支持部２３がモータ３７によって回転するように構成してもよい。
【００７５】
さらに、図１から図６で示す発光具１において、発光部３を構成するＬＥＤ７がたとえば点滅しつつ移動することで、発光部３の発光箇所が変化するようにしてもよい。
【００７６】
図１０で示す発光具１は、蛍光部５から起立している支柱部４７を有している。発光部３は、紐状の発光部支持材４９を介して支柱部４７に吊り下げられているＬＥＤ７で構成されおり、ＬＥＤ７が平板状（たとえば円板）状の蛍光部の上で搖動するようになっている。そして、ＬＥＤ７が蛍光部５に可視光を照射することで、蛍光部５に発光部位１１が現れるように構成されている。
【符号の説明】
【００７７】
１  発光具
３  発光部
５  蛍光部
７  発光体
４７  支柱部
４９  発光部支持材
Ｃ１  中心軸
【図１】
2016206538.tif 000003
【図２】
2016206538.tif 000004
【図３】
2016206538.tif 000005
【図４】
2016206538.tif 000006
【図５】
2016206538.tif 000007
【図６】
2016206538.tif 000008
【図７】
2016206538.tif 000009
【図８】
2016206538.tif 000010
【図９】
2016206538.tif 000011
【図１０】
2016206538.tif 000012